(57)【特許請求の範囲】
【請求項１】
重ね合わせ状態において携帯型電子計算機を間に挟み込んで保持する一対の保持体を有しており、
この一対の保持体がそれぞれ、保持すべき携帯型電子計算機を枠内空間に納める大きさの周回状をなす線材よりなる枠材と、この枠材に張り込まれたゴム又はゴム状弾性材よりなるシート状体とを備えていると共に、
一方の保持体の一側縁部と他方の保持体の一側縁部とが、重ね合わせ状態にある両保持体を当該両保持体の他側縁部間の間隔を離れ出させる向きに開き出し操作可能に、止め付け合わされていることを特徴とする携帯型電子計算機のキャリングケース。
【請求項２】
一対の保持体の止め付け合わせ側と反対の側にある両保持体を構成するシート状体にそれぞれ、両保持体の重ね合わせ状態において連通し合って当該反対の側にある枠材の一部を把持部とさせる指の挿入開放部が形成してあることを特徴とする請求項１記載の携帯型電子計算機のキャリングケース。
【請求項３】
一対の保持体の一方に、当該一対の保持体を重ね合わせた状態において相互に連通し合う両保持体の挿入開放部を通じて当該一対の保持体の他方の外面側に引き出される帯状片が備え付けられていると共に、
この帯状片の引き出し端部と当該一対の保持体の他方の外面とにそれぞれ、相互に掛合し合う掛合手段が設けてあることを特徴とする請求項２記載の携帯型電子計算機のキャリングケース。
【請求項４】
一対の保持体を、一方の保持体を構成するシート状体と他方の保持体を構成するシート状体とを、両保持体を構成する枠材の内方において縫着させることにより止め付け合わせていることを特徴とする請求項１、請求項２又は請求項３記載の携帯型電子計算機のキャリングケース。
【発明の詳細な説明】
【０００１】
【発明の属する技術分野】
この発明は、ノート型のパーソナルコンピュータなどの携帯型電子計算機を携行するために用いるキャリングケースに関する。
【０００２】
【従来の技術】
ノート型のパーソナルコンピュータなどの携帯型電子計算機を携行するにあたっては、携行時の衝撃などから当該携帯型電子計算機を保護するため、フォーム材を内部に張り込んだアルミニウムなどの金属やプラスチックよりなるアタッシュケース型のキャリングケースや、バッグを構成する各面部内にクッション材をそれぞれ内装させたキャリングバッグなどが用いられている。
【０００３】
【発明が解決しようとする課題】
しかるに、かかる従来のキャリングケースなどは、いずれも在来のアタッシュケースやバッグの改良形として提供されている。
【０００４】
こうしたことから、携帯型電子計算機のみを携行するにあたってのキャリングケースとして、必要最低限の簡素な構造をもって、携帯型電子計算機を携行時の衝撃などから適切に保護することができるものの提供が望まれるところであった。
【０００５】
そこでこの発明は、できる限り簡素な構造をもって、携帯型電子計算機を携行時の衝撃などから適切に保護して携行可能とするキャリングケースの提供を目的としている。
【０００６】
【課題を解決するための手段】
前記目的を達成するために、請求項１記載の発明にあっては、携帯型電子計算機のキャリングケースを、重ね合わせ状態において携帯型電子計算機を間に挟み込んで保持する一対の保持体を有しており、この一対の保持体がそれぞれ、保持すべき携帯型電子計算機を枠内空間に納める大きさの周回状をなす線材よりなる枠材と、この枠材に張り込まれたゴム又はゴム状弾性材よりなるシート状体とを備えていると共に、一方の保持体の一側縁部と他方の保持体の一側縁部とが、重ね合わせ状態にある両保持体を当該両保持体の他側縁部間の間隔を離れ出させる向きに開き出し操作可能に、止め付け合わされている構成を備えたものとした。
【０００７】
かかる構成によれば、前記一対の保持体間に携帯型電子計算機を挟み込ませた重ね合わせ状態（保持状態）にあっては、当該一対の保持体を構成する枠材に張り込まれた前記シート状体はそれぞれ当該携帯型電子計算機によって外方に撓み出されるように弾性変形され、当該シート状体の内面を当該携帯型電子計算機の外面に密着させた状態でガタつきなく当該携帯型電子計算機を保持する。
【０００８】
また、かかる一対の保持体を構成する枠材は、保持すべき携帯型電子計算機を枠内空間に納める大きさに構成されていることから、前記保持状態にあっては、携帯型電子計算機の厚さ方向にある端面と当該枠材との間に前記のように弾性変形させられたシート状体によって一定の間隔を形成させることができ、キャリングケースの縁部側から加わる衝撃を保持されている携帯型電子計算機に直接伝えさせることがない。
【０００９】
また、前記保持体を構成するシート状体はゴム又はゴム状弾性材よりなることから、キャリングケースの側面側から加わる衝撃も当該シート状体によってある程度吸収することができる。
【００１０】
特に、かかるキャリングケースは、主として、前記枠材と当該枠材に張り込まれるシート状体とから構成される一対の保持体によって構成されることから、簡素な構造をもって適切に携帯型電子計算機を保持し得る。
【００１１】
また、請求項２記載の発明にあっては、請求項１記載の携帯型電子計算機のキャリングケースにおける、一対の保持体の止め付け合わせ側と反対の側にある両保持体を構成するシート状体にそれぞれ、両保持体の重ね合わせ状態において連通し合って当該反対の側にある枠材の一部を把持部とさせる指の挿入開放部が形成してあるものとした。
【００１２】
かかる構成によれば、とじ込ませた一対の保持体間に携帯型電子計算機を挟み込ませた保持状態において、かかる挿入開放部によってこの挿入開放部に臨んだ一対の保持体の枠材の一部を把持して、当該携帯型電子計算機を保持したキャリングケースを適切に持ち運ぶことができる。
【００１３】
また、請求項３記載の発明にあっては、請求項２記載の携帯型電子計算機のキャリングケースにおける、一対の保持体の一方に、当該一対の保持体を重ね合わせた状態において相互に連通し合う両保持体の挿入開放部を通じて当該一対の保持体の他方の外面側に引き出される帯状片が備え付けられていると共に、この帯状片の引き出し端部と当該一対の保持体の他方の外面とにそれぞれ、相互に掛合し合う掛合手段が設けてあるものとした。
【００１４】
かかる構成によれば、とじ込ませた一対の保持体間に携帯型電子計算機を挟み込ませた保持状態を、安定的に維持することができる。
【００１５】
また、請求項４記載の発明にあっては、請求項１、請求項２又は請求項３記載の携帯型電子計算機のキャリングケースにおける、一対の保持体を、一方の保持体を構成するシート状体と他方の保持体を構成するシート状体とを、両保持体を構成する枠材の内方において縫着させることにより止め付け合わせているものとした。
【００１６】
かかる構成によれば、かかる一対の保持体を前記重ね合わせ状態から開き出させた場合、前記縫着部分において一方の保持体のシート状体と他方の保持体のシート状体とが弾性的に引き延ばされ、当該一対の保持体の向き合った面を近づける向きの付勢力が生じるものとされる。
【００１７】
この結果、この実施の形態にあっては、キーボードを備えた本体部にディスプレイを備えた蓋部を当該本体部の上面を当該蓋部によって覆った伏倒位置から起立位置まで回動可能に組み付けて構成されるタイプの携帯型電子計算機の蓋部を起立位置に回動させると同時に一対の保持体を開き出させた場合、当該携帯型電子計算機の蓋部の上面に一方の保持体の内面を密着させるようにすることができ、当該一対の保持体間から当該携帯型電子計算機を取り出すことなく当該携帯型電子計算機を使用する場合に一方の保持体が側方に倒れ出してこうした使用にあたっての邪魔となることがない。
【００１８】
【発明の実施の形態】
以下、図１ないし図１０に基づいて、この発明の典型的な実施の形態について説明する。
【００１９】
なお、ここで図１は、キャリングケースを構成する一対の保持体１、１の構成部材を分離した状態で示しており、また、図２は、かかるキャリングケースを斜視の状態として、また、図３は正面から見た状態で、また、図４は図３と反対の側から見た状態として、また、図５は側面から見た状態で、それぞれ示している。
【００２０】
また、図６は、一対の保持体１、１の止め付け合わせ部分を断面の状態として、また、図７は、かかるキャリングケースを左右方向において断面にして、それぞれ表している。
【００２１】
また、図８及び図９は、かかるキャリングケースに携帯型電子計算機１００を保持させた状態を、図８は当該キャリングケースを上下方向に断面にして、また、図９は当該キャリングケースを左右方向に断面にして、それぞれ表している。
【００２２】
また、図１０は、蓋部１０１と本体部１０２とからなる携帯型電子計算機１００の当該蓋部１０１共々、キャリングケースの一方の保持体１を他方の保持体１から離れ出す向きに開きだし操作させた状態における一対の保持体１、１の止め付け合わせ部分を断面にして表している。
【００２３】
この発明にかかるキャリングケースは、ノート型のパーソナルコンピュータなどの携帯型電子計算機１００を携行するために用いるのに適したものである。
【００２４】
かかるキャリングケースは、重ね合わせ状態において、かかる携帯型電子計算機１００を間に挟み込んで保持する一対の保持体１、１を有している。この実施の形態にあっては、かかる保持体１はほぼ方形の外郭形状を有するように構成してある。また、かかる一対の保持体１、１は、互いにほぼ同寸、同形をなすように構成してある。
【００２５】
そして、この実施の形態にあっては、かかる一対の保持体１、１を、一方の保持体１の四つの側縁部１０ａ、１０ａ…のそれぞれに対し他方の保持体１の対応する側縁部１０ａが沿わされた状態で前記重ね合わせ状態となるように、当該一方の保持体１の一側縁部１０ｂと他方の保持体１の一側縁部１０ｂとを、当該重ね合わせ状態にある両保持体１を当該両保持体１の他側縁部１０ａ間の間隔を離れ出させる向きに開き出し操作可能に、止め付け合わさせている。
【００２６】
そして、かかる一対の保持体１、１を開き出し操作して当該一対の保持体１、１の間に前記携帯型電子計算機１００を入れ込ませた後、この一対の保持体１、１をとじ込むことにより、とじ込まれて重ね合わされる当該一対の保持体１、１によって当該携帯型電子計算機１００を保持し、また、このように携帯型電子計算機１００を保持した状態から前記開き出し操作をすることにより、当該一対の保持体１、１の間から携帯型電子計算機１００を取り出すことができるものとされている。
【００２７】
また、キーボードを備えた本体部１０２にディスプレイを備えた蓋部１０１を当該本体部１０２の上面を当該蓋部１０１によって覆った伏倒位置から起立位置まで回動可能に組み付けて構成されるタイプの携帯型電子計算機１００に対しては、かかる蓋部１０１を伏倒位置に回動させた状態においてとじ込まれた前記一対の保持体１、１間に当該携帯型電子計算機１００を保持することができると共に、かかる携帯型電子計算機１００の本体部１０２の下面１０２ａを一方の保持体１の内面１０ｃに接しさせ、かつ、当該携帯型電子計算機１００の蓋部１０１の上面１０１ａを他方の保持体１の内面１０ｃに接しさせた状態で、当該携帯型電子計算機１００の蓋部１０１を起立位置に回動させると同時に一対の保持体１、１を開き出させることができ、この一対の保持体１、１間から当該携帯型電子計算機１００を取り出すことなく当該携帯型電子計算機１００を使用することもできるものとされている。
【００２８】
かかる一対の保持体１、１はそれぞれ、保持すべき携帯型電子計算機１００を枠内空間に納める大きさの枠材１１と、この枠材１１に張り込まれたゴム又はゴム状弾性材よりなるシート状体１２とを備えている。
【００２９】
かかる枠材１１は、方形状をなすように構成されている。典型的には、金属線材を周回状をなすように屈曲させ、その両端を溶接などすることにより、かかる枠材１１を構成することができる。
【００３０】
また、かかるシート状体１２は、前記枠材１１の内郭形状に倣った外郭形状をおおむね有するように構成されている。かかるシート状体１２は、例えば、化粧布によって表面を覆われたネオプレンゴムなどによって構成することができる。
【００３１】
また、この実施の形態にあっては、前記枠材１１に沿って当該枠材１１を覆う縁取りテープ１３における当該枠材１１の内方に位置される当該縁取りテープ１３の縁部１３ａ間に前記シート状体１２の縁部１２ａを入れ込んだ状態で、当該縁取りテープ１３の縁部１３ａと当該シート状体１２の縁部１２ａとを縫着させることにより、当該枠材１１に当該シート状体１２を張り込ませている。
【００３２】
そして、この実施の形態にあっては、このように構成される一対の保持体１、１の一方の一側縁部１０ｂに沿った前記縁取りテープ１３の縁部１３ａと当該一対の保持体１、１の他方の一側縁部１０ｂに沿った当該縁取りテープ１３の縁部１３ａとを、それぞれの縁取りテープ１３の縁部１３ａ、１３ａ間に前記シート状体１２の縁部１２ａを入れ込んだ状態で縫着させることにより、かかる一対の保持体１、１を止め付け合わさせている。（図６）
【００３３】
すなわち、この実施の形態にあっては、前記一対の保持体１、１を、一方の保持体１を構成するシート状体１２と他方の保持体１を構成するシート状体１２とを、両保持体１、１を構成する枠材１１の内方において縫着させることにより止め付け合わせている。
【００３４】
より具体的には、この実施の形態にあっては、前記シート状体１２と同様のゴム又はゴム状弾性材よりなる帯状のクッション体２を、その長さ方向に沿って二つ折りにさせた状態で、このクッション体２の長さ方向に沿った両縁部２０、２０を前記一対の保持体１、１の一方の一側縁部１０ｂに沿った前記縁取りテープ１３の縁部１３ａと当該一対の保持体１、１の他方の一側縁部１０ｂに沿った当該縁取りテープ１３の縁部１３ａとの間に入れ込ませ、この状態でかかるクッション体２の縁部２０と両縁取りテープ１３、１３の縁部１３ａとを縫着させ合わせることによって、当該クッション体２が前記一対の保持体１、１の止め付け合わされる一側縁部１０ｂに沿ってキャリングケースの内方に配されるようにして、かかる一対の保持体１、１を止め付け合わさせている。
【００３５】
これにより、この実施の形態にあっては、かかる一対の保持体１、１を前記のように開き出させた場合、前記縫着部分において一方の保持体１のシート状体１２と他方の保持体１のシート状体１２とが弾性的に引き延ばされ、当該一対の保持体１、１の向き合った面（キャリングケースの内面）を近づける向きの付勢力が生じるものとされる。
【００３６】
この結果、この実施の形態にあっては、キーボードを備えた本体部１０２にディスプレイを備えた蓋部１０１を当該本体部１０２の上面を当該蓋部１０１によって覆った伏倒位置から起立位置まで回動可能に組み付けて構成されるタイプの携帯型電子計算機１００の蓋部１０１を起立位置に回動させると同時に一対の保持体１、１を開き出させた場合、当該携帯型電子計算機１００の蓋部１０１の上面１０１ａに一方の保持体１の内面１０ｃを密着させるようにすることができ、当該一対の保持体１、１間から当該携帯型電子計算機１００を取り出すことなく当該携帯型電子計算機１００を使用する場合に一方の保持体１が側方に倒れ出してこうした使用にあたっての邪魔となることがない。
【００３７】
また、前記クッション体２によって、とじ込ませた一対の保持体１、１間に携帯型電子計算機１００を挟み込ませた保持状態において、当該一対の保持体１、１の止め付け合わされた一側縁部１０ｂ側から加わる衝撃を吸収して、当該衝撃が保持された携帯型電子計算機１００にできる限り伝わらないようにすることができる。
【００３８】
また、この実施の形態にあっては、前記一対の保持体１、１の止め付け合わせ側と反対の側にある両保持体１、１を構成するシート状体１２にそれぞれ、両保持体１、１の重ね合わせ状態において連通し合って当該反対の側にある枠材１１の一部を把持部１１ｂとさせる指の挿入開放部１２ｂが形成してある。
【００３９】
この実施の形態にあっては、前記一対の保持体１、１を構成するシート状体１２における前記止め付け合わせ側と反対の側にある当該シート状体１２の縁部１２ａであって、その長さ方向ほぼ中程の位置にそれぞれ、凹部１２ｃが形成されている。そして、この反対側においては、かかる凹部１２ｃを挟んだ両側において、シート状体１２と枠材１１とが前記縁取りテープ１３を介して留め付け合わされるようにしてあり、キャリングケースにこの凹部１２ｃの縁とこの凹部１２ｃに臨んだ枠材１１の一部とによって前記挿入開放部１２ｂを形成させている。
【００４０】
この結果、この実施の形態にあっては、キャリングケースに別途の下げ手などを設けさせることなく、とじ込ませた一対の保持体１、１間に携帯型電子計算機１００を挟み込ませた保持状態において、かかる挿入開放部１２ｂによってこの挿入開放部１２ｂに臨んだ一対の保持体１、１の枠材１１の一部を把持して、当該携帯型電子計算機１００を保持したキャリングケースを適切に持ち運ぶことができる。
【００４１】
また、この実施の形態にあっては、前記一対の保持体１、１の一方に、当該一対の保持体１、１を重ね合わせた状態において相互に連通し合う両保持体１、１の挿入開放部１２ｂを通じて当該一対の保持体１、１の他方の外面側に引き出される帯状片３が備え付けられていると共に、このように引き出される帯状片３の引き出し端部と当該一対の保持体１、１の他方の外面とにそれぞれ、相互に掛合し合う掛合手段３０が設けてある。
【００４２】
この実施の形態にあっては、かかる掛合手段３０を、相互に掛合し合う面状ファスナー３１としている。
【００４３】
この結果、この実施の形態にあっては、とじ込ませた一対の保持体１、１間に携帯型電子計算機１００を挟み込ませた保持状態を、シンプルな構造をもって安定的に維持することができる。
【００４４】
かかる一対の保持体１、１間に携帯型電子計算機１００を挟み込ませた保持状態にあっては、当該一対の保持体１、１を構成する枠材１１に張り込まれた前記シート状体１２はそれぞれ当該携帯型電子計算機１００によって外方に撓み出されるように弾性変形され、当該シート状体１２の内面を当該携帯型電子計算機１００の外面に密着させた状態でガタつきなく当該携帯型電子計算機１００を保持する。（図８、図９）
【００４５】
また、かかる一対の保持体１、１を構成する枠材１１は、保持すべき携帯型電子計算機１００を枠内空間に納める大きさに構成されていることから、前記保持状態にあっては、携帯型電子計算機１００の厚さ方向にある端面１０３と当該枠材１１との間に前記のように弾性変形させられたシート状体１２によって一定の間隔Ｓを形成させることができ、キャリングケースの縁部側から加わる衝撃を保持されている携帯型電子計算機１００に直接伝えさせることがない。
【００４６】
また、前記保持体１を構成するシート状体１２はゴム又はゴム状弾性材よりなることから、キャリングケースの側面側から加わる衝撃も当該シート状体１２によってある程度吸収することができる。
【００４７】
特に、かかるキャリングケースは、主として、前記枠材１１と当該枠材１１に張り込まれるシート状体１２とから構成される一対の保持体１、１によって構成されることから、簡素な構造をもって適切に携帯型電子計算機１００を保持し得る特長を有している。
【００４８】
【発明の効果】
この発明によれば、携帯型電子計算機を携行時の衝撃などから保護して携行可能とするキャリングケースを、簡素かつ適切に構成することができる。
【図面の簡単な説明】
【図１】キャリングケースの分解斜視構成図
【図２】同斜視図
【図３】同正面図
【図４】同背面図
【図５】同側面図
【図６】図３におけるＡ−Ａ線断面図
【図７】図３におけるＢ−Ｂ線断面図
【図８】使用状態を示す断面図
【図９】使用状態を示す断面図
【図１０】使用状態を示す要部断面図
【符号の説明】
１  保持体
１０ａ  側縁部
１０ｂ  一側縁部
１１  枠材
１１ｃ  枠内空間
１２  シート状体
１００  携帯型電子計算機
【図１】
0003927369.tif 000002
【図２】
0003927369.tif 000003
【図３】
0003927369.tif 000004
【図４】
0003927369.tif 000005
【図５】
0003927369.tif 000006
【図６】
0003927369.tif 000007
【図７】
0003927369.tif 000008
【図８】
0003927369.tif 000009
【図９】
0003927369.tif 000010
【図１０】
0003927369.tif 000011